(57)【要約】【課題】外観上の体裁を良好にするとともに、清掃具の支持機構の簡素化を図り、ちり取りに対する清掃具の支持・分離操作を簡単にすること。【解決手段】柄１０の一端に掃きヘッド１２を取り付けた清掃具１とこれを支持するちり取り２とのセットＡであって、清掃具１は、柄１０の他端に大径部１３Ｂを有し、ちり取り２は、略半円形をしてその弦をなして延びる前縁を掃き入れ縁とした底板２０と、掃き入れ縁の両端から連続し、かつ底板２０に略垂直な前縁をもつとともに、底板２０の略半円弧縁から立ち上がる水平断面略半円弧状の側板２１と、側板２１の上部に形成され、底板２０と側板２１とで囲まれる空間とくびれ部２３を介して上方に連続し、かつ前方に開放部を有する支持空間を有する把持部２２と、を備える。支持空間は大径部１３Ｂを開放部から挿入して収容可能で、くびれ部２３は柄１０を上下方向に通しつつ大径部１３Ｂを係止可能である。【選択図】図１
0003116285.tif 000002
【実用新案登録請求の範囲】
【請求項１】
柄の一端部に掃きヘッドを取り付けた清掃具とこの清掃具を収容支持可能なちり取りとのセットであって、
上記清掃具は、上記柄の他端部に大径部を有しており、
上記ちり取りは、略半円形をしていてその弦をなして延びる前縁を掃き入れ縁とした底板と、上記掃き入れ縁の両端から連続し、かつ上記底板に対して垂直ないし略垂直な前縁をもつとともに、上記底板の半円弧ないし略半円弧縁から立ち上がる水平断面略半円弧状の側板と、上記側板の上部に形成され、上記底板と上記側板とで囲まれる空間とくびれ部を介して上方に連続し、かつ前方に開放部を有する支持空間を有する把持部と、を備えており、
上記支持空間は、上記清掃具の柄の他端部の大径部を上記開放部から挿入して収容可能であり、上記くびれ部は上記柄を上下方向に通しつつ上記大径部を係止可能であることを特徴とする、清掃具とちり取りとのセット。
【請求項２】
上記側板は、どの水平断面をとっても略半円弧状であるとともに、水平断面は上方に向かうほど縮小しており、上記くびれ部を介して上記把持部につながっている、請求項１に記載の清掃具とちり取りとのセット。
【請求項３】
上記側板、上記くびれ部、ないし上記把持部の各前縁は、一定の垂直面内に位置する、請求項２に記載の清掃具とちり取りとのセット。
【請求項４】
上記清掃具の掃きヘッドの幅は、上記ちり取りの底板の前縁の寸法と略対応している、請求項３に記載の清掃具とちり取りとのセット。
【請求項５】
上記ちり取りにおける上記くびれ部から底板までの寸法は、上記清掃具の柄の上記大径部の直下部から上記掃きヘッドの下縁までの寸法と対応している、請求項４に記載の清掃具とちり取りとのセット。
【請求項６】
上記ちり取りは、樹脂により一体成形されている、請求項１ないし５のいずれかに記載の清掃具とちり取りとのセット。
【請求項７】
上記清掃具の上記大径部は、上記柄の長手軸線周りの回転体形状とされている、請求項１ないし６のいずれかに記載の清掃具とちり取りとのセット。
【請求項８】
上記清掃具の上記大径部は、球形である、請求項７に記載の清掃具とちり取りとのセット。
【請求項９】
上記ちり取りの上記把持部の内面には、上記くびれ部の近傍、かつ上記開放部の近傍において、上方に突出する一対の突起が形成されている、請求項１ないし８のいずれかに記載の清掃具とちり取りとのセット。
【考案の詳細な説明】
【技術分野】
【０００１】
本考案は、清掃具と、この清掃具を分離自在に支持するちり取りとからなる、清掃具とちり取りのセットに関する。
【背景技術】
【０００２】
ほうきなどの清掃具は、たとえば床面の清掃時には、ちり取りと一緒に使用されることが多い。このため、収納や持ち運びの便宜上、清掃具とちり取りとは、一纏めにして取り扱うことができれば好都合である。このような事情に対応すべく、従来から、清掃具をちり取りに分離自在に支持させる構成が種々採用されている。
【０００３】
清掃具と、この清掃具を支持可能なちり取りとを有する構成については、たとえば特許文献１に記載されている。特許文献１においては、ちり取りは、集塵部としての矩形箱型の基台部と、この基台部から上向きに立ち上がる支柱と、この支柱の上端に設けられた把手とを備え、清掃具は、柄と、この柄の先端部に取り付けられた掃きヘッドとを備える。また、ちり取りの把手は、相互に開閉自在な一対のアームを有しており、このアームには、清掃具の柄を収容保持可能な凹溝が形成されている。清掃具を使用しないときには、清掃具の柄をちり取りのアームの凹溝に保持させたうえでアームを閉状態としておくことにより、清掃具を、起立姿勢にてちり取りに支持させることができる。すなわち、このような構成によれば、清掃具を、壁に立て掛けるなどの不安定な姿勢をとることなく、ちり取りとともに起立姿勢で配置することができる。
【０００４】
ところで、特許文献１に記載された構成によれば、清掃具とちり取りとを一纏めにして起立姿勢で配置することができるものの、一見して清掃具とちり取りであると判り易い。したがって、このような構成は、たとえば店舗内の清掃用としての利用を考慮すると、顧客の目に付く場所に配置するのは外観上体裁が悪く、好ましくない。しかしながら、理美容室などにおいては、床面に落ちた毛髪を速やかに掃き取ることが必要とされ、清掃具とちり取りの使用頻度は多い傾向にあるので、通常、これらを顧客の目に付く場所に配置することを避けるのは困難な状況にある。また、理美容室などでは、室内装飾の統一感を重視する傾向にあるが、一見して清掃具およびちり取りであると判り易い上記構成は、室内装飾の統一感を崩す要因にもなり、より一層好ましくない。さらに、上記構成では、清掃具の使用の際に、清掃具をちり取りに支持させる、あるいはちり取りから分離させる度ごとに、ちり取りのアームの開閉状態を切換える必要があり、その操作が煩わしく、清掃作業性が低下するといった不都合が生じる。
【０００５】
【特許文献１】特開２００４−４９３９１号公報
【考案の開示】
【考案が解決しようとする課題】
【０００６】
本考案は、このような事情のもとで考え出されたものであって、清掃具と、この清掃具を支持可能なちり取りとのセットにおいて、外観上の体裁を良好にするとともに、清掃具の支持機構の簡素化を図り、ちり取りに対する清掃具の支持・分離操作が簡単な清掃具とちり取りとのセットを提供することを課題としている。
【課題を解決するための手段】
【０００７】
上記の課題を解決するため、本考案では、次の技術的手段を講じている。
【０００８】
本考案によって提供される清掃具とちり取りとのセットは、柄の一端部に掃きヘッドを取り付けた清掃具とこの清掃具を収容支持可能なちり取りとのセットであって、上記清掃具は、上記柄の他端部に大径部を有しており、上記ちり取りは、略半円形をしていてその弦をなして延びる前縁を掃き入れ縁とした底板と、上記掃き入れ縁の両端から連続し、かつ上記底板に対して垂直ないし略垂直な前縁をもつとともに、上記底板の半円弧ないし略半円弧縁から立ち上がる水平断面略半円弧状の側板と、上記側板の上部に形成され、上記底板と上記側板とで囲まれる空間とくびれ部を介して上方に連続し、かつ前方に開放部を有する支持空間を有する把持部と、を備えており、上記支持空間は、上記清掃具の柄の他端部の大径部を上記開放部から挿入して収容可能であり、上記くびれ部は上記柄を上下方向に通しつつ上記大径部を係止可能であることを特徴としている。
【０００９】
このような構成の清掃具とちり取りとのセットにおいては、ちり取りは、集塵部を規定する側板が底板の半円弧ないし略半円弧縁から立ち上がる水平断面略半円弧状とされている。このため、本考案に係るちり取りは、側板を手前側に向けて（すなわち、掃き入れ縁を奥側に位置させる）起立させることにより、全体として略円柱状ないし略円錐状に見え、ちり取りであるとは判別できず、むしろインテリアの一部に同化し、外観上の体裁が良好となる。
【００１０】
また、上記構成においては、ちり取りの側板の上部に形成される把持部は、底板と側板とで囲まれる空間とくびれ部を介して上方に連続し、かつ前方に開放部を有する支持空間を有している。このため、清掃具を使用しない際には、清掃具の柄の端部に設けられた大径部をちり取りの把持部の開放部から挿入するという簡単な操作により、当該大径部が、上記支持空間に収容されるとともにくびれ部により係止されることとなり、清掃具をちり取りに支持させることができる。また、清掃具を使用する際には、清掃具の柄を掴み、当該清掃具の大径部がちり取りの開放部を通過するように引き出すという簡単な操作により、清掃具をちり取りから分離することができる。このように、本考案においては、清掃具の支持機構の簡素化が図られており、ちり取りに対する清掃具の支持・分離操作は、清掃具だけを掴むことにより行うことができる。そのため、清掃具の使用頻度が多い場合でも、清掃具の支持・分離操作が煩雑であることに起因して清掃作業性が低下することはない。
【００１１】
本考案の好ましい実施の形態においては、上記側板は、どの水平断面をとっても略半円弧状であるとともに、水平断面は上方に向かうほど縮小しており、上記くびれ部を介して上記把持部につながっている。
【００１２】
このような構成によれば、ちり取りが全体として上方に向かって窄む略円錐形状となるので、ちり取りの重心位置を低くすることができ、起立姿勢での安定化を図るうえで好適である。
【００１３】
本考案の好ましい実施の形態においては、上記側板、上記くびれ部、ないし上記把持部の各前縁は、一定の垂直面内に位置する。
【００１４】
本考案の好ましい実施の形態においては、上記清掃具の掃きヘッドの幅は、上記ちり取りの底板の前縁の寸法と略対応している。好ましい実施の形態においてはまた、上記ちり取りにおける上記くびれ部から底板までの寸法は、上記清掃具の柄の上記大径部の直下部から上記掃きヘッドの下縁までの寸法と対応している。
【００１５】
このような構成によれば、清掃具について、その全体を、ちり取りにおける底板と側板とで囲まれる空間ないし把持部の支持空間に収容することが可能となる。このため、ちり取りの側板を手前側に向けておくと、ちり取りに収容支持された清掃具は、一切見えない。したがって、この構成は、外観上の体裁を良好にするうえで、好適である。
【００１６】
本考案の好ましい実施の形態においては、上記ちり取りは、樹脂により一体成形されている。
【００１７】
このような構成によれば、本考案に係るちり取りを効率よく製造することができる。また、ちり取りの重量が抑制され、清掃作業や持ち運びの際の負担が軽減される。
【００１８】
本考案の好ましい実施の形態においては、上記清掃具の上記大径部は、上記柄の長手軸線周りの回転体形状とされている。
【００１９】
このような構成によれば、清掃具の大径部は、柄の長手軸線周りの回動による姿勢の変化に対して、方向性を有しない。したがって、清掃具の大径部をちり取りの開放部から挿入する際には、開放部に対して大径部の向きを合わせる必要がなく、清掃具の支持操作を簡単にするうえで好適である。
【００２０】
本考案の好ましい実施の形態においては、上記清掃具の上記大径部は、球形である。
【００２１】
このような構成によれば、柄が若干傾いた姿勢であっても、清掃具の大径部をちり取りの開放部から挿入することができる。
【００２２】
本考案の好ましい実施の形態においては、上記ちり取りの上記把持部の内面には、上記くびれ部の近傍、かつ上記開放部の近傍において上方に突出する一対の突起が形成されている。
【００２３】
このような構成によれば、清掃具がちり取りに収容支持された状態において、ちり取りの把持部の開放部側が若干下がるように傾いても、突起により、清掃具の大径部の上記開放部側への移動が規制される。したがって、本考案に係る清掃具とちり取りとのセットを持ち運ぶ際に清掃具がちり取りから不用意に脱落することは防止され、使い勝手が良好となる。
【００２４】
本考案のその他の特徴および利点は、添付図面を参照して以下に行う詳細な説明によって、より明らかとなろう。
【考案を実施するための最良の形態】
【００２５】
以下、本考案の好ましい実施の形態について、図面を参照して具体的に説明する。
【００２６】
図１は、本考案に係る清掃具とちり取りとのセットの一例を示し、清掃具をちり取りに収容支持させた状態を表す斜視図である。図２は、図１に表された上記セットの正面図である。図３は、図１に表された上記セットの背面図である。図４ないし図７は、図１に表された清掃具を示す図である。図８ないし図１０は、図１に表されたちり取りを示す図である。
【００２７】
図１に表れているように、上記セットＡは、ほうきとして構成された清掃具１と、この清掃具１を収容保持可能なちり取り２とからなる。
【００２８】
清掃具１は、図１、図２、図４、図５に表されているように、柄１０と、柄１０の一端部に連結部材１１を介して取り付けられた掃きヘッド１２と、柄１０の他端部に設けられた基端部材１３とを備える。柄１０は、アルミニウムなどの軽量な金属材料により形成されており、中空の棒状である。
【００２９】
掃きヘッド１２は、図４ないし図６に表れているように、所定長さを有する略円柱状のヘッド部１４と、ヘッド部１４の下部の適所に植設された複数本の刷毛１５とを備える。ヘッド部１４は合成樹脂製であり、その上部中央には所定厚みの突片１４Ａが一体形成されている。突片１４Ａは、その周縁が球面とされるとともに、厚み方向に貫通孔１４ｂが形成されている。
【００３０】
連結部材１１は、図５、図６に表れているように、第１および第２部材１６，１７からなり、たとえば合成樹脂製である。第１および第２部材１６，１７は、柄１０の端部に嵌合される半円柱状の軸部１６Ａ，１７Ａと、連結片１６Ｂ，１７Ｂとを有する。連結片１６Ｂ、１７Ｂは、その外面が突片１４Ａの周縁と略同一の曲率からなる球面とされるとともに、その内面には筒部１６ｃ，１７ｃが突出形成されている。第１部材１６の筒部１６ｃは、第２部材１７の筒部１７ｃの内面に嵌合しうる外径を有する。突片１４Ａの貫通孔１４ｂに筒部１６ｃ，１７ｃを挿通させることにより、突片１４Ａはその厚み方向において連結片１６Ｂ，１７Ｂに挟まれている。これにより、掃きヘッド１２は、連結部材１１からの脱落が防止されており、また、柄１０と掃きヘッド１２とは、連結部材１１を介して、柄１０の長手軸線およびヘッド部１４の長手軸線に略直交する中心軸Ｃ１周りに揺動可能な状態で連結されている。この連結状態において、柄１０と掃きヘッド１２とは、第１および第２部材１６，１７と突片１４Ａとの摩擦により揺動に所定の抵抗が与えられている。このため、図４において仮想線で表されているように柄１０を傾斜させたうえで、掃きヘッド１２を床面から離間させても、当該傾斜姿勢が保たれる。また、上記連結状態において、連結片１６Ｂ，１７Ｂの外面と突片１４Ａの周縁とは、連続する球面を形成している。
【００３１】
基端部材１３は、図７に表れているように、柄１０の端部に嵌合される軸部１３Ａと、大径部１３Ｂとを備え、たとえば合成樹脂製である。大径部１３Ｂは、柄１０の長手軸線周りの回転体形状の一例である球形をなしており、その外径Ｄ１が後述するちり取り２のくびれ部２３の幅Ｗ１よりも大とされている。
【００３２】
ちり取り２は、図８ないし図１０に表れているように、底板２０と、側板２１と、把持部２２と、くびれ部２３とを備え、各部の厚みが略一定となるようにして、ポリプロピレンなどの樹脂材料により一体成形されたものである。
【００３３】
底板２０は、床面上に略水平に置かれる部分であり、比較的に大面積を有する略半円形とされている。底板２０の略半円形における弦に相当する端縁部分は、塵を掃き入れるための掃き入れ縁２０ａとされている。底板２０の上面の掃き入れ縁２０ａ近傍には、掃き入れ縁２０ａに向かうにつれて下がる傾斜面２０ｂが形成されている。
【００３４】
側板２１は、底板２０を包囲することにより集塵部を規定する部分であり、底板２０の略半円弧縁から上方に立ち上がっている。側板２１の水平断面は、略半円弧状であるとともに上方に向かうほど縮小している。側板２１はまた、底板２０の掃き入れ縁２０ａ側（以下、前方とする）に臨む前縁２１ａを有し、この前縁２１ａは、掃き入れ縁２０ａの両端から連続するとともに、底板２０に対して略垂直をなしている。すなわち、側板２１は、全体として上方に向かって窄む中空の略半円錐状とされている。
【００３５】
把持部２２は、後方に球面突部を有する砲弾状とされており、くびれ部２３を介して側板２１の上部につながっている。把持部２２はまた、下方において一部切欠きを有する略円形の前縁２２ａを有し、この前縁２２ａにより、前方に開放する開放部２２ｂが形成されている。この前縁２２ａもまた、側板２１の前縁２１ａと連続して底板２０に対して略垂直をなしている。開放部２２ｂは、清掃具１の大径部１３Ｂを、当該大径部１３Ｂと前縁２２ａないし把持部２２の内面との間に若干の融通をもちながら通過させ得る寸法とされている。把持部２２により囲まれた空間は、清掃具１の大径部１３Ｂを収容可能な支持空間２２ｃである。把持部２２の内面には、上方に突出する一対の突起２２ｄが形成されている。一対の突起２２ｄは、くびれ部２３の近傍、かつ開放部２２ｂの近傍において、くびれ部２３の幅方向に離間して位置する。
【００３６】
くびれ部２３は、これにつながる側板２１の上部ないし把持部２２の下部に比べて、その幅（図９における左右方向）および奥行き（図１０における左右方向）が狭められた部分である。くびれ部２３の幅Ｗ１は、清掃具１の柄１０の外径よりも大とされている。一方、上述したように、清掃具１の大径部１３Ｂの外径は、くびれ部２３の幅Ｗ１よりも大とされている。これにより、図２に表れているように、清掃具１の大径部１３Ｂが支持空間２２ｃに収容されると、くびれ部２３において、柄１０が上下方向に通じるとともに大径部１３Ｂが係止される。
【００３７】
図２によく表されているように、ちり取り２においては、その底板２０の前縁の長さＬ１が清掃具１の掃きヘッド１２の幅Ｗ２よりも僅かに大きくされ、また、くびれ部２３から底板２０までの長さＬ２は、清掃具１の大径部１３Ｂの直下部から掃きヘッド１２の下縁までの長さＬ３よりも僅かに大きくされている。これにより、清掃具１の大径部１３Ｂが支持空間２２ｃに収容されると、清掃具１の全体が、ちり取り２における底板２０と側板２１とで囲まれる空間ないし把持部２２の支持空間２２ｃに収容されることとなる。
【００３８】
次に、上記した清掃具１とちり取り２とのセットＡの作用について説明する。
【００３９】
上記セットＡにおいて、ちり取り２の側板２１は、全体として上方に向かって窄む中空の略半円錐状とされている。このため、ちり取り２は、側板２１を手前側に向けて起立させることにより、全体として略円錐状に見えることとなる（図３参照）。これは、ちり取りの集塵部として一般的に知られた矩形箱型とは大きく異なる形状であるため、ちり取りであるとは判別できず、むしろインテリアの一部に同化することとなって、外観上の体裁が良好である。加えて、ちり取り２が全体として上方に向かって窄む構成は、ちり取りの重心位置を低くすることができ、ちり取り２ないし上記セットＡの起立姿勢での安定化を図るうえで好適である。
【００４０】
上記セットＡにおいては、ちり取り２の側板２１の上部に形成された把持部２２は、底板２０と側板２１とで囲まれる空間とくびれ部２３を介して上方に連続している。また、把持部２２は、その前方に清掃具１の大径部１３Ｂを通過させ得る開放部２２ｂを有するとともに、大径部１３Ｂを収容可能な支持空間２２ｃを有する。このため、清掃具１を使用しない際には、清掃具１の柄１０を掴み、柄１０の端部に設けられた大径部１３Ｂをちり取り２の把持部２２の開放部２２ｂから挿入するという簡単な操作により、大径部１３Ｂが支持空間２２ｃに収容されるとともにくびれ部２３により係止されることとなり、清掃具１をちり取り２に支持させることができる。本実施形態では、大径部１３Ｂが球形とされているため、大径部１３Ｂは、柄１０の長手軸線周りの回動による姿勢の変化に対して、方向性を有さない。したがって、大径部１３Ｂをちり取り２の開放部から挿入する際に、開放部２２ｂに対して大径部１３Ｂの向きを合わせる必要がなく、清掃具１のちり取り２への収容操作がより簡単となる。さらに、大径部１３Ｂが球形であると、柄１０が若干傾いた姿勢であっても、大径部１３Ｂを開放部２２ｂから挿入することができる。
【００４１】
ここで、清掃具１は、その全体がちり取り２における底板２０と側板２１とで囲まれた空間ないし把持部２２の支持空間２２ｃに収容されるため、ちり取り２の側板２１を手前側に向けておくと、ちり取り２に収容支持された清掃具１は一切見えることがない（図３参照）。したがって、このような構成の清掃具１とちり取り２とのセットＡによれば、外観上の体裁がより一層良好となる。
【００４２】
清掃具１を使用する際には、清掃具１の柄１０を掴み、清掃具１の大径部１３Ｂがちり取り２の開放部２２ｂを通過するように引き出すという簡単な操作により、清掃具１をちり取り２から分離することができる。このように、本実施形態においては、ちり取り２に対する清掃具１の支持・分離操作は、清掃具１だけを掴むことにより行うことができる。そのため、清掃具１の使用頻度が多い場合でも、清掃具の支持・分離操作が煩雑であることに起因して清掃作業性が低下することはない。
【００４３】
また、上記セットＡにおいては、ちり取り２の底板２０の前縁の長さＬ１が清掃具１の掃きヘッド１２の幅Ｗ２より僅かに大きくされ、かつ、ちり取り２のくびれ部２３から底板２０までの長さＬ２が清掃具１の大径部１３Ｂの直下部から掃きヘッド１２の下縁までの長さＬ３よりも僅かに大きくされている。このため、ちり取り２の底板２０上に塵を掃き入れたままにしても、清掃具１をちり取り２に収容支持させておくことにより、底板２０上の塵のちり取り２の前縁側への移動は、清掃具１の掃きヘッド１２により効率よく阻止される。したがって、本実施形態によれば、一旦ちり取り２内に回収された塵が不用意に周囲に散乱することは、防止される。加えて、ちり取り２の側板２１を手前側に向けておくと、ちり取り２内に回収された塵は、一切見えない。
【００４４】
なお、ちり取り２の把持部２２の内面には、くびれ部２３の近傍、かつ、開放部２２ｂの近傍において、上方に突出するとともに左右に離間する一対の突起２２ｄが形成されているため、ちり取り２の前方（開放部２２ｂ側）が若干下がるように傾いても、突起２２ｄにより大径部１３Ｂの前方への移動が規制される。したがって、上記セットＡを持ち運ぶ際に清掃具１がちり取り２から不用意に脱落することは防止されることとなり、使い勝手が良好である。
【００４５】
以上、本考案の具体的な実施形態を説明したが、本考案はこれに限定されるものではなく、考案の思想から逸脱しない範囲内で種々な変更が可能である。
【００４６】
本考案における清掃具は、柄の一端部に掃きヘッドが取り付けられたものであれば、如何なる構造であってもよい。清掃具としては、ほうきに限定されるものではなく、たとえばワイパーなどの他の種類の清掃具であってもよい。また、上記実施形態では、清掃具の柄と掃きヘッドとが揺動可能に連結された構成であるが、柄と掃きヘッドとが固定的に連結された構成としてもよい。
【００４７】
本考案に係る清掃具、およびちり取りの各部の具体的な形状や材質なども、上記実施形態に限定されるものではない。
【図面の簡単な説明】
【００４８】
【図１】本考案に係る清掃具とちり取りとのセットの一例を示す斜視図である。
【図２】本考案に係る清掃具とちり取りとのセットの一例を示す正面図である。
【図３】本考案に係る清掃具とちり取りとのセットの一例を示す背面図である。
【図４】図１に示した清掃具の正面図である。
【図５】図１に示した清掃具の要部側面図である。
【図６】図５の縦断面図である。
【図７】図１に示した清掃具の要部断面図である。
【図８】図１に示したちり取りの斜視図である。
【図９】図１に示したちり取りの正面図である。
【図１０】図１に示したちり取りの側面図である。
【符号の説明】
【００４９】
Ａ      セット
１      清掃具
２      ちり取り
１０    柄
１２    掃きヘッド
１３Ｂ  大径部
２０    底板
２０ａ  掃き入れ縁
２１    側板
２１ａ  前縁（側板の）
２２    把持部
２２ｂ  開放部
２２ｃ  支持空間
２３    くびれ部
【図１】
0003116285.tif 000003
【図２】
0003116285.tif 000004
【図３】
0003116285.tif 000005
【図４】
0003116285.tif 000006
【図５】
0003116285.tif 000007
【図６】
0003116285.tif 000008
【図７】
0003116285.tif 000009
【図８】
0003116285.tif 000010
【図９】
0003116285.tif 000011
【図１０】
0003116285.tif 000012